(57)【要約】【課題】受け金と戸当たりの係止状態を維持し、ふとした外力で係止状態が解除されることのないドアロック構造体を提供する。【解決手段】壁体またはドアに設けられた受け金と、ドアまたは壁体（または床）に設けられた戸当たりとからなり、前記受け金に、一端が固着され、他端が少なくとも上方に延びた引っ掛け部と、前記引っ掛け部と対向する部位または前記引っ掛け部の枠体と対向する部位に突起が設けられ、前記戸当たりに、略Ｕ字状の掛け金と、前記掛け金を回動可能に保持するための軸受けが設けられている。【選択図】図３
0003135611.tif 000002
【実用新案登録請求の範囲】
【請求項１】
壁体またはドアに設けられた受け金と、
ドアまたは壁体に設けられた戸当たりとからなるドアロック構造体であり、
前記受け金に、一端が固着され、他端が少なくとも上方に延びた引っ掛け部と、前記引っ掛け部と対向する部位に突起が設けられ、
前記戸当たりに、略Ｕ字状の掛け金と、前記掛け金を回動可能に保持するための軸受けが設けられ、
前記掛け金を、前記受け金の引っ掛け部に引っ掛けることにより係止可能としたドアロック構造体。
【請求項２】
壁体またはドアに設けられた受け金と、
ドアまたは壁体に設けられた戸当たりとからなるドアロック構造体であり、
前記受け金に、一端が固着され、他端が少なくとも上方に延びた引っ掛け部と、前記引っ掛け部の枠体と対向する部位に突起が設けられ、
前記戸当たりに、略Ｕ字状の掛け金と、前記掛け金を回動可能に保持するための軸受けが設けられ、
前記掛け金を、前記受け金の引っ掛け部に引っ掛けることにより係止可能としたドアロック構造体。
【請求項３】
前記受け金が、前記壁体に代えてドアに設けられ、
前記戸当たりが、前記ドアに代えて壁体または床に設けられた請求項１または２記載のドアロック構造体。
【考案の詳細な説明】
【技術分野】
【０００１】
本考案はドアロック構造体に関する。さらに詳しくは、壁体に設けられた受け金と、ドアに設けられた戸当たりとからなるドアロック構造体であり、前記受け金に、一端が固着され、他端が少なくとも上方に延びた引っ掛け部と、前記引っ掛け部と対向する部位に突起が設けられ、前記戸当たりに、略Ｕ字状の掛け金と、前記掛け金を回動可能に保持するための軸受けが設けられ、前記掛け金を、前記受け金の引っ掛け部に引っ掛けることにより係止可能としたドアロック構造体に関する。
【背景技術】
【０００２】
従来、ドアをロックする方法として、壁体に設けられた受け金の引っ掛け部に、ドアに設けられた戸当たりの掛け金を引っ掛ける方法が知られており、種々の戸当たりが提案されている。しかし、強風などの外力で係止状態が解除され、使用者の意に反してドアが閉まり、戸先と壁体との間に指などを詰める（挟む）という、時として不慮の事故が起こることがある。そのため、ふとした弾みなどでは係止状態が解除されないようなドアロック構造体が望まれている。
【０００３】
たとえば特許文献１には、戸当たりに設けられた支点を中心として、掛け金とバランサーが一定の均衡状態を保つよう調整された、バランサー付き掛け金具の技術が開示されている。ドアを開放し、掛け金が壁体に設けられた受け金と接触すると、掛け金が上方向にスライドし、受け金に引っ掛かる。再度受け金側にドアを押し込むと、掛け金が受け金表面を上方向にスライドし、係止状態が解除される。その後、掛け金は、バランサーによって元の均衡状態に戻る。
【０００４】
また、特許文献２には、掛け金の位置調節を可能とした戸当たりの技術が開示されている。使用者は、戸当たりを壁体に設置する場合や床に設置する場合などにおいて、容易に戸当たりの高さを調節することができる。
【０００５】
【特許文献１】特開２００３−２９３６４５号公報
【特許文献２】特開平７−１５９７６号公報
【考案の開示】
【考案が解決しようとする課題】
【０００６】
しかしながら、上記のごとき特許文献の技術では、容易に係止もしくは係止解除できるという利点はあるが、外力に対する係止状態の維持対策が不充分であり、ふとした外力によって頻繁に係止状態が解除されてしまう場合がある。
【０００７】
本考案は上述した従来の問題に鑑みたもので、受け金と戸当たりの係止状態を維持し、ふとした外力ではまったく係止状態が解除されることのないドアロック構造体を提供することを目的とする。
【課題を解決するための手段】
【０００８】
本考案の第一の態様にかかわるドアロック構造体は、壁体に設けられた受け金と、ドアに設けられた戸当たりとからなり、前記受け金に、一端が固着され、他端が少なくとも上方に延びた引っ掛け部と、前記引っ掛け部と対向する部位に突起が設けられ、前記戸当たりに、略Ｕ字状の掛け金と、前記掛け金を回動可能に保持するための軸受けが設けられ、前記掛け金を、前記受け金の引っ掛け部に引っ掛けることにより係止可能としたドアロック構造体である。
【０００９】
本考案の第二の態様にかかわるドアロック構造体は、壁体に設けられた受け金と、ドアに設けられた戸当たりとからなり、前記受け金に、一端が固着され、他端が少なくとも上方に延びた引っ掛け部と、前記引っ掛け部の枠体と対向する部位に突起が設けられ、前記戸当たりに、略Ｕ字状の掛け金と、前記掛け金を回動可能に保持するための軸受けが設けられ、前記掛け金を、前記受け金の引っ掛け部に引っ掛けることにより係止可能としたドアロック構造体である。
【００１０】
また、前記受け金と戸当たりの設置場所は、前記受け金が、前記壁体に代えてドアに設けられ、前記戸当たりが、前記ドアに代えて壁体に設けられる場合、前記受け金が前記壁体に代えてドアに設けられ、前記戸当たりが前記ドアに代えて床に設けられる場合もある。
【考案の効果】
【００１１】
本考案のドアロック構造体の受け金と戸当たりを、壁体とドア、ドアと壁体、またはドアと床に装着した場合には、ふとした外力によって、受け金と戸当たりが接近し、その後戸当たりの掛け金が受け金と接触した後、上方向へスライドした場合であっても、掛け金に設けられた突起により係止の解除を確実に防止することができる。
【考案を実施するための最良の形態】
【００１２】
本考案のドアロック構造体は、壁体またはドアに設けられた受け金と、ドアまたは壁体（または床）に設けられた戸当たりとからなり、前記受け金に、一端が固着され、他端が少なくとも上方に延びた引っ掛け部と、前記引っ掛け部と対向する部位または前記引っ掛け部の枠体と対向する部位に突起が設けられ、前記戸当たりに、略Ｕ字状の掛け金と、前記掛け金を回動可能に保持するための軸受けが設けられている。後述する実施の形態１と２は、受け金における突起の設置場所の違いに応じたものである。
【００１３】
ここで、本明細書では、ドアの戸先とは、ドアと壁体の固着側と反対側を意味している。
【００１４】
以下で、添付図面を参照しながら、本考案のドアロック構造体を詳細に説明する。
【００１５】
図１（ａ）は、本考案のドアロック構造体の１実施形態（実施の形態１）における受け金の断面図であり、図１（ｂ）は、戸当たりの一部断面図と、戸当たりの掛け金が受け金に係止されている状態（使用時の形態）を示す側面図である。図２は、本考案のドアロック構造体の１実施形態（実施の形態１）における係止状態を説明するための側面図であり、（ａ）は、戸当たりの掛け金が受け金に係止された状態を示し、（ｂ）は、（ａ）の状態からさらに、戸当たりに受け金方向への外力がかかり、掛け金が受け金に接触した後、受け金に沿って上方向へ移動した後、突起により係止された状態を示す。図３は、本考案のドアロック構造体の１実施形態（実施の形態１）における戸当たりをドアに、受け金を壁体に設置した状態を示す側面図である。図４は、本考案のドアロック構造体の１実施形態（実施の形態２）における受け金の側面図である。図５は、本考案のドアロック構造体における設置場所の別例を示し、（ａ）は、ドアに受け金、壁体に戸当たりを設置した例を示す側面図であり、（ｂ）は、ドアに受け金、床に戸当たりを設置した例を示す側面図である。図６は、本考案のドアロック構造体の１実施形態（実施の形態１）における受け金の突起の位置の別例を示す断面図である。
【００１６】
実施の形態１
実施の形態１のドアロック構造体１は、図１（ａ）〜（ｂ）に示されるように、受け金１ａと戸当たり１ｂとから構成されている。
【００１７】
受け金１ａには、一端が固着され、他端が少なくとも上方に延びた引っ掛け部２と、前記引っ掛け部２と対向する部位に突起３が設けられている。引っ掛け部２の深さは、後述する戸当たり１ｂの掛け金４が引っ掛かる程度もあれば充分である。また、受け金１ａに対する引っ掛け部２の傾斜は、受け金１ａと平行か、受け金１ａの側（図１（ａ）における紙面右側）へ傾斜しておれば問題はない。受け金１ａの上部と下部にはそれぞれドアないし壁体に固着できるよう、ねじ孔５が設けられている。また、固着手段はねじに限定されず、くぎや接着剤などの各種固着手段であっても問題はない。
【００１８】
戸当たり１ｂは、取付部６と胴部７、掛け金４からなる。取付部６は、戸当たり１ｂをドア、壁体、または床と固着するための部位であり、各所へ固着するためのねじ孔６ａが設けられている。固着手段はねじに限定されず、くぎや接着剤などの各種固着手段であっても問題はない。前記掛け金４は、略Ｕ字状を呈しており、前記受け金１ａの引っ掛け部２に引っ掛けることによりドアを係止するための部位である。胴部７には、前記掛け金１ａを回動可能に保持するための軸受け８と、戸当たり１ｂが受け金１ａと接触する際の衝撃を緩和するための緩衝部材９が設けられている。前記緩衝部材９の材質としては、ゴムなどの弾性を有する素材があげられるが、その他の緩衝材であってもなんら問題なく、特に限定されるものではない。
【００１９】
次に、戸当たり１ｂの掛け金４を受け金１ａに引っ掛けた状態から、さらに受け金１ａ側へ外力が加わった際の掛け金４の動きについて、図２に沿って説明する。
【００２０】
図２（ａ）に示されるように、戸当たり１ｂの掛け金４が受け金１ａに引っ掛かった状態において、戸当たり１ｂに対して、受け金１ａ側へさらなる外力Ｆが加わるとき、まず、掛け金４が受け金１ａと接触する。その後、外力Ｆの強度によっては、掛け金４が受け金１ａに沿って上方向へスライドする場合がある。その後、上方向へスライドした掛け金４は、図２（ｂ）に示されるように、掛け金４に設けられた突起３と当接することによって、受け金１ａから外れることなく係止される。また、掛け金４は、突起３と当接した後、重力の影響で再び図２（ａ）の位置（引っ掛け部２の底位置）まで落下し、再係止される。
【００２１】
なお、実施の形態１のドアロック構造体１は、図３に示されるように、戸当たり１ｂが、ねじ１０を介してドア１１に設けられ、受け金１ａが壁体１２に設けられた例である。
【００２２】
実施の形態２
実施の形態２のドアロック構造体１３は、図４に示されるように、戸当たり１ｂは実施の形態１と共通であり、受け金１ｃの形状が異なっている。
【００２３】
前記受け金１ｃには、一端が固着され、他端が少なくとも上方に延びた引っ掛け部２と、前記引っ掛け部２の枠体と対向する部位に突起３が設けられている。引っ掛け部２の深さは、前述した戸当たり１ｂの掛け金４が引っ掛かる程度もあれば充分である。また、引っ掛け部２の傾斜は、設置面（図４の場合は壁体１２）と平行か、設置面の側（図４における紙面右側）へ傾斜しておれば問題はない。受け金１ｃの固着部には、ドアないし壁体に固着できるよう、ねじ１０が設けられている。前記ねじ１０は、引っ掛け部２と一体的に構成されている。また、固着手段はねじ１０に限定されず、くぎや接着剤などの各種固着手段であっても問題はない。
【００２４】
実施の形態１における、戸当たり１ｂにさらなる外力Ｆが加わるときの掛け金４の挙動（図２（ａ）、（ｂ）参照）と同様に、実施の形態２において、戸当たり１ｂに対して、受け金側へさらなる外力Ｆが加わるとき、まず、掛け金４が受け金１ｃと接触し、その後、外力Ｆの強度によっては、掛け金４が受け金１ｃに沿って上方向へスライドする場合があるが、この一連の挙動は瞬間的であり、実際には、掛け金４が設置面（図４の場合は壁体１２）と接触した瞬間に、受け金１ｃに沿って上方向へ生じる応力に加え、設置面から受ける反発力により、斜め方向（図４の左上方向）へ掛け金４が動く場合が多い。動いた掛け金４は、突起３によって受け金１ｃから外れることなく再係止される。
【００２５】
実施の形態３
実施の形態３のドアロック構造体１は、図５（ａ）に示されるように、受け金１ａがドアに設けられ、戸当たり１ｂが壁体１２に設けられている以外は実施の形態１のドアロック構造体１と同じである。そのため、係止の機構についての説明は省略する。
【００２６】
実施の形態４
実施の形態４のドアロック構造体１４は、図５（ｂ）に示されるように、戸当たり１ｄの胴部７が２箇所の部位（それぞれ胴部７ａと胴部７ｂとする）に分けられ、それぞれの部位がねじ１５で固着されている。胴部７ａは、緩衝部材９が受け金１ａ方向に向くようねじ１５を支点として傾斜させることができ、傾斜後、所定の角度で固定することができる。受け金１ａがドア１１に設けられ、戸当たり１ｄが床１６に設けられた以外は実施の形態１のドアロック構造体１と同じである。そのため、係止の機構についての説明は省略する。
【００２７】
以上より、本考案のドアロック構造体の受け金と戸当たりを、壁体とドア、ドアと壁体、またはドアと床に装着した場合には、ふとした外力によって、受け金と戸当たりが接近し、その後戸当たりの掛け金が受け金と接触した後、上方向へスライドした場合であっても、掛け金に設けられた突起により係止の解除を確実に防止することができる。
【００２８】
なお、実施の形態１では、受け金１ａの突起３が引っ掛け部２の高さよりも高い位置に設けられた場合について説明したが、本考案はこれに限定されるものではなく、図６の受け金１ｅに示されるように、突起３が掛金４の線径より上部かつ引っ掛け部２よりも低い位置または同位置に設けられていてよい。
【００２９】
また、実施の形態２では、受け金１ｃとねじ１０を一体構造の部材として説明したが、本考案はこれに限定されるものではなく、実施の形態１のように別部材であってもよい。つまり、実施の形態１の突起３の位置を、実施の形態２の突起３の位置に変更したものであってもよく、また、両方に突起３が設けられてあってもよい。
【００３０】
また、上記実施の形態では、ドア１１の比較的下部（床に近い位置）にドアロック構造体を設置した例について説明したが、本考案のドアロック構造体の設置位置は、戸当たりを床に設置する場合を除いて、ドア１１の下部に限定されない。
【図面の簡単な説明】
【００３１】
【図１】（ａ）は、本考案のドアロック構造体の１実施形態（実施の形態１）における受け金の断面図であり、（ｂ）は、本考案のドアロック構造体の１実施形態（実施の形態１）における戸当たりの一部断面図と、戸当たりの掛け金が受け金に係止されている状態（使用時の形態）を示す側面図である。
【図２】本考案のドアロック構造体の１実施形態（実施の形態１）における係止状態を説明するための側面図である。
【図３】本考案のドアロック構造体の１実施形態（実施の形態１）における戸当たりをドアに、受け金を壁体に設置した状態を示す側面図である。
【図４】本考案のドアロック構造体の１実施形態（実施の形態２）におけるドアロック構造体の受け金の側面図である。
【図５（ａ）】本考案のドアロック構造体の１実施形態（実施の形態３）における受け金をドアに、戸当たりを壁体に設置した状態を示す側面図である。
【図５（ｂ）】本考案のドアロック構造体の１実施形態（実施の形態４）における受け金をドアに、戸当たりを床に設置した状態を示す側面図である。
【図６】本考案のドアロック構造体の１実施形態（実施の形態１）における受け金の突起の位置の別例を示す断面図である。
【符号の説明】
【００３２】
１、１３、１４  ドアロック構造体
１ａ、１ｃ、１ｅ  受け金
１ｂ、１ｄ  戸当たり
２  引っ掛け部
３  突起
４  掛け金
５、６ａ  ねじ孔
６  取付部
７、７ａ、７ｂ  胴部
８  軸受け
９  緩衝部材
１０、１５  ねじ
１１  ドア
１２  壁体
１６  床
Ｆ  外力
【図１】
0003135611.tif 000003
【図２】
0003135611.tif 000004
【図３】
0003135611.tif 000005
【図４】
0003135611.tif 000006
【図５（ａ）】
0003135611.tif 000007
【図５（ｂ）】
0003135611.tif 000008
【図６】
0003135611.tif 000009